(57)【要約】【課題】発光素子が実装されている基板が硬質基板である場合と比して、導光体の端面と発光素子とが離間するのを抑制することができる発光装置、画像読取装置、及び画像形成装置を得る。【解決手段】導光体の一方向の端面に対向して配置され、導光体の端面に光を照射する発光素子を挟んで導光体の反対側に配置され、発光素子が実装された基板を、可撓性基板する。さらに、押付部が可撓性基板を介して、導光体の端面に発光素子を押し付ける。【選択図】図１
2018121323.tif 000002
【特許請求の範囲】
【請求項１】
一方向に延びた導光体と、
該導光体の該一方向の端面に対向して配置され、該導光体の該端面に光を照射する発光素子と、
該発光素子を挟んで該導光体の反対側に配置され、該発光素子が実装された可撓性基板と、
該可撓性基板を介して、該導光体の該端面に該発光素子を押し付ける押付部と、
を備える発光装置。
【請求項２】
前記発光素子は、光を照射する発光部と、前記発光部を封止している封止部材と、前記発光部を挟んで前記導光体の反対側に配置され、前記発光部及び封止部材を支持している支持部材と、を有し、
前記支持部材には、前記導光体側に突出している突出部が形成されており、
前記押付部が、前記可撓性基板を介して、前記導光体の前記端面に前記発光素子を押し付けている状態で、前記導光体の前記端面に前記突出部の先端が接触し、かつ、前記封止部材と前記導光体の前記端面との間に、空隙が形成されている請求項１に記載の発光装置。
【請求項３】
前記突出部と前記導光体との間には、前記空隙と前記発光素子の外部の空間とをつなぐ隙間が形成されている請求項２に記載の発光装置。
【請求項４】
前記導光体は、第一導光体と第二導光体とであって、
前記発光素子は、前記第一導光体の端面に光を照射する第一発光素子と、前記第二導光体の端面に光を照射する第二発光素子とであって、
前記可撓性基板には、前記第一発光素子と前記第二発光素子とが実装されている請求項１から３の何れか１項に記載の発光装置。
【請求項５】
前記導光体を収容する筐体を備え、
前記押付部には、前記導光体と接触して、前記導光体を前記筐体に位置決めする位置決め部が一体的に形成されている請求項１から４の何れか１項に記載の発光装置。
【請求項６】
前記位置決め部は、前記一方向に対して交差する方向から前記導光体に接触している請求項５に記載の発光装置。
【請求項７】
前記発光素子を収容する筐体を備え、
前記押付部には、前記発光素子と接触して、前記発光素子を前記筐体に位置決めする他の位置決め部が一体的に形成されている請求項１から４の何れか１項に記載の発光装置。
【請求項８】
前記他の位置決め部は、前記一方向に対して交差する方向から前記発光素子に接触している請求項７に記載の発光装置。
【請求項９】
請求項１〜８の何れか１項に記載の発光装置と、
前記一方向に並べられた複数の受光素子と、
前記一方向に延び、前記発光素子によって発光されて、画像が形成されている対象物から反射された光を前記受光素子に案内する案内部材と、
を備える画像読取装置。
【請求項１０】
請求項９に記載の画像読取装置と、
前記画像読取装置で読み取られた画像情報に基づいて画像を形成する画像形成部と、
を備える画像形成装置。
【発明の詳細な説明】
【技術分野】
【０００１】
本発明は、発光装置、画像読取装置、及び画像形成装置に関する。
【背景技術】
【０００２】
特許文献１には、光電変換素子が実装されたセンサ基板の両端部に、ＬＥＤ発光素子が実装されたＬＥＤ基板がフレキシブル基板を介して接続されたライン光源ユニットが記載されている。
【先行技術文献】
【特許文献】
【０００３】
【特許文献１】特開２００７−２５１３５３号公報
【発明の概要】
【発明が解決しようとする課題】
【０００４】
光を対象物に照射する発光装置は、一方向に延びた円柱状の導光体と、この導光体の端面に向けて光を照射する発光素子と、発光素子が実装された基板とを備えている。この発光装置では、導光体の端面に発光素子を接触させることで、発光素子から照射された光が、導光体の内部に進入するようになっている。また、発光素子が実装されている基板は、硬質基板である。そこで、製造上のバラツキ等により導光体が設計値に対して短くなると、導光体の端面と発光素子とが離間してしまうことがある。
【０００５】
本発明の課題は、発光素子が実装されている基板が硬質基板である場合と比して、導光体の端面と発光素子とが離間するのを抑制することである。
【課題を解決するための手段】
【０００６】
本発明の請求項１に係る発光装置は、一方向に延びた導光体と、該導光体の該一方向の端面に対向して配置され、該導光体の該端面に光を照射する発光素子と、該発光素子を挟んで該導光体の反対側に配置され、該発光素子が実装された可撓性基板と、該可撓性基板を介して、該導光体の該端面に該発光素子を押し付ける押付部と、を備えることを特徴とする。
【０００７】
本発明の請求項２に係る発光装置は、請求項１に記載の発光装置において、前記発光素子は、前記光を照射する発光部と、前記発光部を封止する封止部材と、前記発光部を挟んで前記導光体の反対側に配置され、前記発光部及び封止部材を支持する支持部材と、を有し、前記支持部材には、前記導光体側に突出する突出部が形成されており、前記押付部が、前記可撓性基板を介して、前記導光体の前記端面に前記発光素子を押し付けている状態で、前記導光体の前記端面に前記突出部の先端が接触し、かつ、前記封止部材と前記導光体の前記端面との間に、空隙が形成されていることを特徴とする。
【０００８】
本発明の請求項３に係る発光装置は、請求項２に記載の発光装置において、前記突出部と前記導光体との間には、前記空隙と前記発光素子の外部の空間とをつなぐ隙間が形成されていることを特徴とする。
【０００９】
本発明の請求項４に係る発光装置は、請求項１から３の何れか１項に記載の発光装置において、前記導光体は、第一導光体と第二導光体とであって、前記発光素子は、前記第一導光体の端面に光を照射する第一発光素子と、前記第二導光体の端面に光を照射する第二発光素子とであって、前記可撓性基板には、前記第一発光素子と前記第二発光素子とが実装されていることを特徴とする。
【００１０】
本発明の請求項５に係る発光装置は、請求項１から４の何れか１項に記載の発光装置において、前記導光体を収容する筐体を備え、前記押付部には、前記導光体に接触して、前記導光体を前記筐体に位置決めする位置決め部が一体的に形成されていることを特徴とする。
【００１１】
本発明の請求項６に係る発光装置は、請求項５に記載の発光装置において、前記位置決め部は、前記一方向に対して交差する方向から前記導光体に接触していることを特徴とする。
【００１２】
本発明の請求項７に係る発光装置は、請求項１から４の何れか１項に記載の発光装置において、前記発光素子を収容する筐体を備え、前記押付部には、前記発光素子に接触して、前記発光素子を前記筐体に位置決めする他の位置決め部が一体的に形成されていることを特徴とする。
【００１３】
本発明の請求項８に係る発光装置は、請求項７に記載の発光装置において、前記他の位置決め部は、前記一方向に対して交差する方向から前記発光素子に接触していることを特徴とする。
【００１４】
本発明の請求項９に係る画像読取装置は、請求項１〜８の何れか１項に記載の発光装置と、前記一方向に並べられた複数の受光素子と、前記一方向に延び、前記発光素子によって発光されて、画像が形成されている対象物から反射された光を前記受光素子に案内する案内部材と、を備えることを特徴とする。
【００１５】
本発明の請求項１０に係る画像形成装置は、請求項９に記載の画像読取装置と、前記画像読取装置で読み取られた画像情報に基づいて画像を形成する画像形成部と、を備えることを特徴とする。
【発明の効果】
【００１６】
本発明の請求項１の発光装置によれば、発光素子が実装されている基板が硬質基板である場合と比して、導光体の端面と発光素子とが離間するのを抑制することができる。
【００１７】
本発明の請求項２の発光装置によれば、押付部が導光体の端面に発光素子を押し付けている状態で、導光体の端面に封止部材が接触する場合と比して、封止部材の変形を抑制することができる。
【００１８】
本発明の請求項３の発光装置によれば、封止部材と導光体の端面との間に形成された空隙が閉じられている場合と比して、発光部の温度上昇を抑制することができる。
【００１９】
本発明の請求項４の発光装置によれば、発光素子が実装されている基板が硬質基板である場合と比して、第一導光体の端面と第一発光素子とが離間すること、及び第二導光体の端面と第二発光素子とが離間することを抑制することができる。
【００２０】
本発明の請求項５の発光装置によれば、押付部とは別に、導光体を位置決めする位置決め部を設ける場合と比して、部品点数を削減することができる。
【００２１】
本発明の請求項６の発光装置によれば、一方向に対して交差する方向の導光体の位置を位置決めすることができる。
【００２２】
本発明の請求項７の発光装置によれば、押付部とは別に、発光素子を位置決めする位置決め部を設ける場合と比して、部品点数を削減することができる。
【００２３】
本発明の請求項８の発光装置によれば、一方向に対して交差する方向の発光素子の位置を位置決めすることができる。
【００２４】
本発明の請求項９の画像読取装置によれば、請求項１〜６の何れか１項に記載の発光装置を備えていない場合と比して、画像を読み取る読取精度の低下を抑制することができる。
【００２５】
本発明の請求項１０の画像形成装置によれば、請求項７に記載の画像読取装置を備えていない場合と比して、出力画像の品質の低下を抑制することができる。
【図面の簡単な説明】
【００２６】
【図１】本発明の第１実施形態に係る画像読取装置を示した断面図である。
【図２】本発明の第１実施形態に係る画像読取装置を示した断面図である。
【図３】本発明の第１実施形態に係る画像読取装置を示した断面図である。
【図４】本発明の第１実施形態に係る画像読取装置に用いられた押付部材を示した斜視図である。
【図５】本発明の第１実施形態に係る画像読取装置を示した拡大斜視図である。
【図６】本発明の第１実施形態に係る画像読取装置を示した斜視図である。
【図７】本発明の第１実施形態に係る画像読取装置を示した分解斜視図である。
【図８】本発明の第１実施形態に係る画像読取装置の可撓性基板を定義するために用いた説明図である。
【図９】本発明の第１実施形態に係る画像読取装置等を示した断面図である。
【図１０】本発明の第１実施形態に係る画像読取装置等を示した斜視図である。
【図１１】本発明の第１実施形態に係る画像読取装置等を示した斜視図である。
【図１２】本発明の第１実施形態に係る画像形成装置の画像読取部を示した構成図である。
【図１３】本発明の第１実施形態に係る画像形成装置の画像読取部を示した構成図である。
【図１４】本発明の第１実施形態に係る画像形成装置を示した概略構成図である。
【図１５】本発明の第１実施形態に対する第１比較形態に係る画像読取装置を示した断面図である。
【図１６】本発明の第２実施形態に係る発光装置等を示した断面図である。
【図１７】本発明の第２実施形態に係る発光装置等を示した拡大断面図である。
【図１８】本発明の第２実施形態に係る発光装置等を示した正面図である。
【図１９】本発明の第２実施形態に対する第２比較形態に係る発光装置等を示した断面図である。
【発明を実施するための形態】
【００２７】
＜第１実施形態＞
本発明の第１実施形態に係る発光装置、画像読取装置、及び画像形成装置の一例を図１〜図１５に従って説明する。なお、図中に示す矢印Ｈは装置上下方向（鉛直方向）を示し、矢印Ｗは装置幅方向（水平方向）を示し、矢印Ｄは装置奥行方向（水平方向）を示す。
【００２８】
（全体構成）
図１４に示されるように、第１実施形態に係る画像形成装置１０には、上下方向（矢印Ｈ方向）の下方から上方へ向けて、記録媒体としてのシート部材Ｐが収容される収容部１４と、収容部１４に収容されたシート部材Ｐを搬送する搬送部１６と、収容部１４から搬送部１６によって搬送されるシート部材Ｐに画像形成を行う画像形成部２０と、原稿Ｇに形成された画像を読み取る画像読取装置の一例としての画像読取部６０とが、この順で備えられている。
【００２９】
〔収容部〕
収容部１４には、画像形成装置１０の筐体１０Ａから装置奥行方向の手前側に引き出し可能な収容部材２６が備えられており、この収容部材２６にシート部材Ｐが積載されている。さらに、収容部１４には、収容部材２６に積載された最上位のシート部材Ｐを、搬送部１６を構成する搬送経路２８に送り出す送出ロール３０が備えられている。
【００３０】
〔搬送部〕
搬送部１６には、搬送経路２８に沿ってシート部材Ｐを搬送する複数の搬送ロール３２が備えられている。
【００３１】
〔画像形成部〕
画像形成部２０には、イエロー（Ｙ）、マゼンタ（Ｍ）、シアン（Ｃ）、ブラック（Ｋ）の４つの画像形成ユニット１８Ｙ、１８Ｍ、１８Ｃ、１８Ｋが備えられている。なお、以後の説明では、Ｙ、Ｍ、Ｃ、Ｋを区別して説明する必要が無い場合は、Ｙ、Ｍ、Ｃ、Ｋを省略して記載することがある。
【００３２】
各色の画像形成ユニット１８は、筐体１０Ａに対して夫々着脱可能とされている。そして、各色の画像形成ユニット１８には、像保持体３６と、像保持体３６の表面を帯電する帯電ロール３８と、帯電された像保持体３６に露光光を照射する露光装置４２とが備えられている。さらに、各色の画像形成ユニット１８には、前述した露光装置４２が帯電された像保持体３６を露光することで形成された静電潜像を現像して、トナー画像として可視化する現像装置４０が備えられている。
【００３３】
また、画像形成部２０には、図中矢印Ａ方向に周回する無端状の転写ベルト２２と、各色の画像形成ユニット１８によって形成されたトナー画像を転写ベルト２２に転写する一次転写ロール４４とが備えられている。さらに、画像形成部２０には、転写ベルト２２に転写されたトナー画像をシート部材Ｐに転写する二次転写ロール４６と、トナー画像が転写されたシート部材Ｐを加熱・加圧してトナー画像をシート部材Ｐに定着する定着装置５０とが備えられている。
【００３４】
〔画像読取部〕
画像読取部６０は、図１３に示されるように、一枚の原稿Ｇの画像を読み取る際に原稿Ｇが載せられる第一透明板６２（所謂プラテンガラス）と、第一透明板６２の装置幅方向の一方（図中左方）に配置される第二透明板７２とを備えている。そして、第一透明板６２及び第二透明板７２は、画像読取部６０の筐体６０Ａの上部に嵌め込まれている。
【００３５】
この第一透明板６２及び第二透明板７２の上方には、第一透明板６２及び第二透明板７２を開放又は閉止する開閉カバー６６が配置されている。そして、開閉カバー６６の内部には、複数枚の原稿Ｇを開閉カバー６６内の搬送経路７０に沿って搬送して、第二透明板７２の上方の原稿読取位置Ｒを通過させる搬送装置６４（所謂ＡＤＦ装置）が備えられている。
【００３６】
また、筐体６０Ａの内部の空間８８には、第一透明板６２に載せられた原稿Ｇの画像と、搬送装置６４によって原稿読取位置Ｒに搬送された原稿Ｇの画像とを読み取る画像読取装置１００が備えられている。さらに、画像読取部６０は、画像読取装置１００を装置幅方向に駆動する駆動装置７４を備えている。
【００３７】
駆動装置７４は、図１０、図１３に示されるように、装置幅方向（画像読取装置１００の移動方向）に延びるシャフト７６と、画像読取装置１００の筐体１１４の下面に取り付けられ、シャフト７６に摺動可能に支持される摺動部材７８とを備えている。
【００３８】
さらに、駆動装置７４は、モータ８０と、モータ８０から駆動力が伝達されて回転駆動する駆動プーリ８４と、従動回転する従動プーリ８６と、駆動プーリ８４及び従動プーリ８６に巻き掛けられている無端状の無端ベルト８２とを備えている。この駆動プーリ８４は、シャフト７６の一端に取り付けられ、従動プーリ８６は、シャフト７６の他端に取り付けられている。
【００３９】
摺動部材７８は、図１１に示されるように、筐体１１４の下面において装置奥行方向の中央側の部分に取り付けられている。摺動部材７８は、図９に示されるように、上下方向に延びて、無端ベルト８２の一部が嵌め込まれているスリット７８Ａと、装置幅方向から見て半円形でシャフト７６と摺動する摺動面７８Ｂとが形成されている。
【００４０】
また、筐体６０Ａには、図１１に示されるように、シャフト７６の両端側の部分を下方から支持する一対の支持部９０が、筐体６０Ａと一体的に形成されている。
【００４１】
なお、画像読取装置１００については、詳細を後述する。
【００４２】
（画像形成装置の作用）
画像形成装置１０では、次のようにして画像が形成される。
【００４３】
先ず、画像読取部６０が、原稿Ｇの画像を読みとる。具体的には、搬送装置６４によって搬送される原稿Ｇの画像を読み取る場合は、図１２に示されるように、画像読取装置１００は、モータ８０（図１１参照）の駆動力が無端ベルト８２を介して伝達され、装置幅方向の他方側の搬送読取位置に移動して停止する。そして、搬送読取位置に配置された画像読取装置１００が、搬送装置６４によって搬送される原稿Ｇの画像を読み取る。
【００４４】
これに対して、第一透明板６２に載せられた原稿Ｇの画像を読み取る場合は、図１３に示されるように、読取開始位置（図中実線）に配置されている画像読取装置１００は、原稿Ｇの画像を読み取りながら、第一透明板６２に沿って読取終了位置（図中二点鎖線）へ向けて装置幅方向に移動する。
【００４５】
続いて、画像読取部６０で読み取られた画像情報に基づいて露光装置４２は、帯電ロール３８によって帯電した各色の像保持体３６の表面に露光光を照射して静電潜像を形成する（図１４参照）。
【００４６】
これにより、データに対応した静電潜像が各色の像保持体３６の表面に形成される。さらに、各色の現像装置４０は、この静電潜像を現像し、トナー画像として可視化する。また、各色の像保持体３６の表面に形成されたトナー画像が、一次転写ロール４４によって転写ベルト２２に転写される。
【００４７】
そこで、収容部材２６から送出ロール３０によって搬送経路２８へ送り出されたシート部材Ｐが、転写ベルト２２と二次転写ロール４６とが接触する転写位置Ｔへ送り出される。転写位置Ｔでは、シート部材Ｐが転写ベルト２２と二次転写ロール４６との間で搬送されることで、転写ベルト２２の表面のトナー画像は、シート部材Ｐに転写される。
【００４８】
シート部材Ｐに転写されたトナー画像は、定着装置５０によってシート部材Ｐに定着される。そして、トナー画像が定着したシート部材Ｐは、搬送ロール３２によって筐体１０Ａの外部へ排出される。
【００４９】
（要部構成）
次に、画像読取装置１００について説明する。
【００５０】
画像読取装置１００は、既知のＣＩＳ（Ｃｏｎｔａｃｔ  Ｉｍａｇｅ  Ｓｅｎｓｏｒ）方式を用いて原稿Ｇ（対象物）に形成された画像を読み取るようになっている。そして、図６に示す画像読取装置１００は、図７に示されるように、受光基板１０２と、受光基板１０２に接続されている一対の配線基板１０４と、配線基板１０４に夫々接続されている可撓性基板１０６とを備えている。さらに、画像読取装置１００は、円柱状とされている一対の導光体１１０（ライトガイド）と、直方体状のロッドレンズアレイ１１２と、筐体１１４とを備えている。また、画像読取装置１００は、導光体１１０を、導光体１１０の長手方向から挟むように配置されている一対の押付部材１２０と、筐体１１４の上面を覆うガラス板１２２とを備えている。ロッドレンズアレイ１１２は、案内部材の一例で、押付部材１２０は、押付部の一例である。
【００５１】
そして、原稿Ｇに向けて光を照射する発光装置１２４は、筐体１１４、導光体１１０、後述する発光素子１２８が実装されている可撓性基板１０６、及び押付部材１２０を含んで構成されている。
【００５２】
〔筐体〕
筐体１１４は、図７に示されるように、装置奥行方向に延びる箱状とされている。そして、筐体１１４には、図３に示されるように、一対の導光体１１０が夫々収容されている一対の導光体収容部１１４Ａと、一対の導光体収容部１１４Ａの間に形成され、ロッドレンズアレイ１１２が収容されているレンズ収容部１１４Ｂとが形成されている。さらに、筐体１１４には、可撓性基板１０６、及び押付部材１２０の一部が収容されている基板収容部１１４Ｃ（図１参照）が形成されている。
【００５３】
−導光体収容部−
導光体収容部１１４Ａは、図３、図７に示されるように、装置幅方向に並んで一対形成さており、夫々の導光体収容部１１４Ａは、装置奥行方向に延びている。さらに、夫々の導光体収容部１１４Ａの長手方向に交差した断面は、上方が開口された半円状とされている。
【００５４】
−レンズ収容部−
レンズ収容部１１４Ｂは、図３に示されるように、装置幅方向において、一対の導光体収容部１１４Ａの間に形成されており、上下方向に貫通している。そして、レンズ収容部１１４Ｂには、ロッドレンズアレイ１１２の下面の装置幅方向の端部を支持する一対の突起１１６が形成されている。
【００５５】
−基板収容部−
基板収容部１１４Ｃは、図７に示されるように、導光体収容部１１４Ａに対して、装置奥行方向の奥側、及び手前側に一対形成されており、夫々の基板収容部１１４Ｃは、図１に示されるように、上下方向に貫通している。具体的には、基板収容部１１４Ｃは、筐体１１４の長手方向の両端の壁部１１９と、導光体収容部１１４Ａとの間に形成されており、基板収容部１１４Ｃの下方には、押付部材１２０の下端に下方から接触するフランジ１１８が形成されている。
【００５６】
−その他−
筐体１１４の上部には、図１、図３に示されるように、ガラス板１２２の縁部を下方から支持している段部１１５が形成されている。
【００５７】
また、筐体１１４の下部には、図３に示されるように、受光基板１０２の上面に接触しているザグリ面１１７が形成されている。
【００５８】
〔導光体〕
導光体１１０は、透明材料（例えば、アクリル樹脂）によって、装置奥行方向に延びる円柱状に形成されており、図３に示されるように、筐体１１４の導光体収容部１１４Ａに収容されている。そして、導光体１１０は、装置幅方向に並んで一対設けられている。
【００５９】
さらに、導光体１１０は、円柱状に形成されている部分に嵌められ、図示せぬ固定手段で筐体１１４に固定されている。この状態で、導光体１１０の端面１１０Ａと、筐体１１４の壁部１１９とは、離間している（図１参照）。
【００６０】
また、導光体１１０には、導光体１１０の端面１１０Ａから入射した光を、長手方向に進行させると共に、ロッドレンズアレイ１１２の上方に向けて（図中矢印Ｂ方向）に光を出射させる反射部材（図示省略）が設けられている。
【００６１】
〔ロッドレンズアレイ〕
ロッドレンズアレイ１１２は、透明材料（例えば、アクリル樹脂）によって、装置奥行方向に延びる直方体状に形成されており、図３に示されるように、筐体１１４のレンズ収容部１１４Ｂに収容されている。そして、ロッドレンズアレイ１１２には、上下に延びるロッドレンズ（図示省略）が装置奥行方向に並んで複数形成されている。さらに、ロッドレンズアレイ１１２は、下面の装置幅方向の端部が突起１１６に支持されており、図示せぬ固定手段で筐体１１４に固定されている。この状態で、ロッドレンズアレイ１１２の長手方向の両端部と、筐体１１４の壁部１１９とは、離間している（図１参照）。
【００６２】
〔受光基板〕
受光基板１０２は、図７に示されるように、板厚方向が上下方向とされている。この受光基板１０２は、上方から見て、装置奥行方向に延びる矩形状とされており、筐体１１４の下方に配置されている。また、受光基板１０２の上面には、複数の受光素子１２６が、装置奥行に並んで実装されている。
【００６３】
そして、受光基板１０２は、図３に示されるように、上面が筐体１１４のザグリ面１１７に接触した状態で、図示せぬ固定手段で筐体１１４に固定されている。また、この状態で、受光基板１０２に実装されている受光素子１２６が上下方向で、ロッドレンズアレイ１１２と対向するようになっている。
【００６４】
〔配線基板〕
配線基板１０４は、所謂フレキシブルフラットケーブル（Ｆｌｅｘｉｂｌｅ  Ｆｌａｔ  Ｃａｂｌｅ）であって、図７に示されるように、一対設けられている。一方の配線基板１０４は、基端が受光基板１０２の装置奥行方向の奥側（図中左側）の端部に接続されており、他方の配線基板１０４は、基端が受光基板１０２の装置奥行方向の手前側（図中右側）の端部に接続されている。
【００６５】
〔可撓性基板〕
可撓性基板１０６は、所謂フレキシブルプリント基板（Ｆｌｅｘｉｂｌｅ  Ｐｒｉｎｔｅｄ  Ｃｉｒｃｕｉｔｓ）であって、板厚方向が装置奥行方向とされている。この可撓性基板１０６は、上方から見て、装置奥行方向から見て矩形状とされている基板であって、図７に示されるように、一対設けられている。一方の可撓性基板１０６は、一方の配線基板１０４の先端に接続されており、他方の可撓性基板１０６は、他方の配線基板１０４の先端に接続されている。また、夫々の可撓性基板１０６の一方の面には、装置幅方向に並ぶＬＥＤ発光素子１２８（以下「発光素子１２８」）が、実装されている。
【００６６】
ここで、可撓性基板１０６とは、例えば、図８に示されるように、幅１０〔ｍｍ〕の基板を片持ち状態に支持し、支持端から１０〔ｍｍ〕の部位を上方から９．８〔Ｎ〕の力Ｆで押して、たわみ量Ｄが１〔ｍｍ〕以上となる可撓性を有する基板である。なお、このたわみ量Ｄについては、１〔ｍｍ〕以上が好ましく、３〔ｍｍ〕以上がより好ましい。
【００６７】
そして、可撓性基板１０６は、図１、図２に示されるように、板厚方向を装置奥行方向として、導光体１１０の端面１１０Ａと対向した状態で、筐体１１４の基板収容部１１４Ｃに収容されている。また、この状態で、可撓性基板１０６に実装されている発光素子１２８は、導光体１１０の端面１１０Ａに夫々接触している（詳細は後述）。
【００６８】
〔押付部材〕
押付部材１２０は、樹脂材料を用いて一体的に成形され、図６、図７に示されるように、一対設けられている。一方の押付部材１２０は、導光体１１０に対して装置奥行方向の奥側に配置されており、他方の押付部材１２０は、導光体１１０に対して装置奥行方向の手前側に配置されている。
【００６９】
この押付部材１２０は、図４に示されるように、装置幅方向から見てＬ字状とされている。そして、押付部材１２０は、板厚方向を上下方向とした天板１３０と、天板１３０の下面１３０Ａに固定され、導光体１１０の端面１１０Ａと、筐体１１４の壁部１１９との間の基板収容部１１４Ｃに配置されている本体部１３２とを有している（図１、図２参照）。
【００７０】
また、この本体部１３２には、一対の片持ち状の張出片１３２Ａが形成されている。具体的には、一対の張出片１３２Ａは、装置幅方向に並んでおり、張出片１３２Ａの下端が固定端とされ、張出片１３２Ａの上端が自由端とされている。そして、一対の張出片１３２Ａは、他の部位に比して、導光体１１０の端面１１０Ａ（図１、図２参照）側に張り出しており、張出方向に弾性変形可能とされている。
【００７１】
この押付部材１２０は、導光体１１０、ロッドレンズアレイ１１２、及び受光基板１０２が筐体に取り付けられ、さらに、配線基板１０４、及び可撓性基板１０６が筐体１１４に収容された後に、筐体１１４の上方から筐体１１４に取り付けられるようになっている。具体的には、図１に示されるように、本体部１３２の下端が筐体１１４のフランジ１１８に接触し、張出片１３２Ａの裏面が図示せぬ固定爪と引っ掛かることで、押付部材１２０は、筐体１１４に取り付けられるようになっている。
【００７２】
そして、押付部材１２０が筐体に取り付けられた状態で、一対の張出片１３２Ａは、図１、図２に示されるように、導光体１１０の端面１１０Ａ側に張り出しており（変形しており）、可撓性基板１０６を介して発光素子１２８を導光体１１０の端面１１０Ａに押し付けている。
【００７３】
また、押付部材１２０の天板１３０の下面１３０Ａが、上方（導光体１１０が延びる方向に対して交差する方向）から、導光体１１０の端部、及び発光素子１２８の端面に接触するようになっている。このようにして、天板１３０の下面１３０Ａが、上下方向において、導光体１１０及び発光素子１２８を、筐体１１４に位置決めするようになっている。下面１３０Ａは、位置決め部、及び他の位置決め部の一例である。
【００７４】
〔ガラス板〕
ガラス板１２２は、図７に示されるように、板厚方向が上下方向とされ、上方から見て、装置奥行方向に延びる矩形状とされている。そして、ガラス板１２２は、図３に示されるように、ガラス板１２２の縁部が筐体１１４の段部１１５に接触した状態で、図示せぬ固定手段で筐体１１４に固定され、筐体１１４の上面を覆うように配置されている。
【００７５】
（作用）
次に、画像読取装置１００の作用について説明する。
【００７６】
発光素子１２８は、導光体１１０の端面１１０Ａに光を照射する（図１、図２、図５参照）。これにより、導光体１１０の端面１１０Ａから光が入射して、導光体１１０は、入射した光を、長手方向に導く。
【００７７】
また、導光体１１０は、図３に示されるように、ロッドレンズアレイ１１２の上方に向けて（図中矢印Ｂ方向）光を出射する。さらに、ロッドレンズアレイ１１２は、導光体１１０から出射して原稿Ｇに照射され、原稿Ｇから反射した反射光を受光素子１２６に集光する。このようにして、受光素子１２６が、原稿Ｇから反射した反射光を、受光して電気信号に変換する。
【００７８】
ここで、第１比較形態に係る画像読取装置２００と比較しつつ、画像読取装置１００の作用について説明する。先ず、画像読取装置２００の構成について、画像読取装置１００と異なる部分を主に説明する。
【００７９】
図１５に示されるように、画像読取装置２００において、発光素子１２８は、硬質な基板（所謂リジット基板）である硬質基板２０６に実装されている。さらに、画像読取装置２００には、押付部材１２０が備えられていない。また、画像読取装置２００の筐体１１４の壁部１１９には、硬質基板２０６側に向けて突出する一対の突出部２１６が形成されている。
【００８０】
この構成によって、画像読取装置２００では、部品のバラツキ、発光素子１２８の温度変化（発光時は温度上昇、消灯時は温度降下）等による導光体１１０の伸縮等によって、一方の導光体１１０が、他方の導光体１１０に対して短い場合には、短い導光体１１０（図中下側の導光体１１０）の端面１１０Ａと、発光素子１２８とが離間してしまう。
【００８１】
このため、導光体１１０の端面１１０Ａと、発光素子１２８との間に生じた隙間から、発光素子１２８から照射された光の一部が漏れ、導光体１１０に入射されない。そこで、画像読取装置２００では、原稿Ｇに照射される光量が不足してしまい、原稿Ｇの画像を読み取る読取精度が低下してしまう。
【００８２】
これに対して、画像読取装置１００では、図２に示されるように、押付部材１２０の張出片１３２Ａが弾性変形しながら、可撓性基板１０６を介して発光素子１２８を導光体１１０の端面１１０Ａに押し付ける。可撓性基板１０６は、前述したような可撓性を有するため、可撓性基板１０６が変形する（部位Ｅ参照）。これにより、画像読取装置１００では、一方の導光体１１０が、他方の導光体１１０に対して短い場合であっても、導光体１１０の端面１１０Ａと発光素子１２８とが離間してしまうのが、画像読取装置２００を用いる場合と比して、抑制される。
【００８３】
（まとめ）
以上説明したように、画像読取装置１００では、部品のバラツキ、温度変化による導光体１１０の伸縮等によって、一方の導光体１１０が、他方の導光体１１０に対して短い場合でも、導光体１１０の端面１１０Ａと発光素子１２８と離間してしまうのが、画像読取装置２００を用いる場合と比して、抑制される。換言すれば、筐体１１４、導光体１１０、可撓性基板１０６、及び押付部材１２０を含んで構成されている発光装置１２４では、部品のバラツキ等によって、一方の導光体１１０が、他方の導光体１１０に対して短い場合でも、導光体１１０の端面１１０Ａと発光素子１２８と離間してしまうのが、画像読取装置２００を用いる場合と比して、抑制される。
【００８４】
また、前述したように、押付部材１２０が筐体１１４に取り付けられている状態で、押付部材１２０の天板１３０の下面１３０Ａが、上方から、導光体１１０の端部に接触している。これにより、天板１３０の下面１３０Ａが、上下方向において、導光体１１０を筐体１１４に位置決めしている。これにより、発光装置１２４では、押付部材１２０とは別に、導光体１１０を筐体１１４に位置決めする位置決め部材を設ける場合と比して、部品点数が削減される。
【００８５】
また、前述したように、押付部材１２０が筐体１１４に取り付けられている状態で、押付部材１２０の天板１３０の下面１３０Ａが、上方から、発光素子１２８の端面に接触している。そして、天板１３０の下面１３０Ａが、上下方向において、発光素子１２８を筐体１１４に位置決めしている。これにより、発光装置１２４では、押付部材１２０とは別に、発光素子１２８を筐体１１４に位置決めする位置決め部材を設ける場合と比して、部品点数が削減される。
【００８６】
また、画像読取装置１００においては、導光体１１０の端面１１０Ａと発光素子１２８とが離間するのが抑制されることで、画像読取装置２００を用いる場合と比して、原稿Ｇに照射される光量不足に起因して、原稿Ｇの画像を読み取る読取精度の低下が抑制される。
【００８７】
また、画像形成装置１０においては、原稿Ｇの画像を読み取る読取精度の低下が抑制されることで、画像読取装置２００を備える場合と比して、出力画像の品質低下が抑制される。
【００８８】
＜第２実施形態＞
本発明の第２実施形態に係る発光装置、画像読取装置、及び画像形成装置の一例を図１６〜図１９に従って説明する。なお、第２実施形態については、第１実施形態と異なる部分を主に説明する。
【００８９】
（構成）
第２実施形態に係る発光装置３２４は、図１６に示されるように、筐体１１４、導光体１１０、一対のＬＥＤ発光素子３２８（発光デバイス、以下「発光素子３２８」）が実装されている可撓性基板１０６、及び押付部材１２０を含んで構成されている。
【００９０】
発光素子３２８は、図１７、図１８に示されるように、光を照射する（発光する）複数の発光チップ３４０と、発光チップ３４０を封止する封止部材３５０と、発光チップ３４０及び封止部材３５０を支持する支持部材３４２と、複数のワイヤー３５４とを備えている。ここで、「封止」とは、発光チップ３４０を保護するために、絶縁材で発光チップ３４０を覆うことである。発光チップ３４０は、発光部の一例である。
【００９１】
支持部材３４２は、一例として、ヤング率が２０００〔ＭＰａ〕のポリスチレン樹脂を用いて成形されている。この支持部材３４２は、発光チップ３４０を挟んで導光体１１０の反対側に配置され、導光体１１０の端面１１０Ａ側が開口した凹状とされている。さらに、支持部材３４２は、導光体１１０の長手方向（装置奥行方向）から見て、図１８に示されるように、矩形状とされ、一辺の長さが導光体１１０の直径と同様とされている。
【００９２】
具体的には、支持部材３４２は、可撓性基板１０６と接触している矩形状の底板３４２Ａと、底板３４２Ａの各辺から導光体１１０の端面１１０Ａ側に夫々突出している突出板３４２Ｂとを有している。この底板３４２Ａには、図示せぬ電気回路が形成されている。さらに、底板３４２Ａにおいて可撓性基板１０６側の部分には、可撓性基板１０６に形成された図示せぬ端子と電気的に接続されている複数の端子３６０が形成されている。突出板３４２Ｂは、突出部の一例である。
【００９３】
そして、押付部材１２０が可撓性基板１０６を介して発光素子３２８を導光体１１０の端面１１０Ａに押し付けた状態で、図１８に示されるように、夫々の突出板３４２Ｂの先端において各辺の中央側の部分だけが、導光体１１０の端面１１０Ａに接触するようになっている。つまり、突出板３４２Ｂの先端と、導光体１１０の端面１１０Ａとは、端面１１０Ａの周方向において同様の間隔で接触している。そして、夫々の突出板３４２Ｂの先端において各辺の端部側の部分は、導光体１１０と離間している。
【００９４】
発光チップ３４０は、複数設けられ、支持部材３４２の底板３４２Ａにおいて導光体１１０の端面１１０Ａ側に夫々取り付けられている。夫々の発光チップ３４０は、同様の形状で、直方体状とされている。また、発光チップ３４０の高さは、支持部材３４２の突出板３４２Ｂの高さと比して低くされている。そして、ワイヤー３５４が、底板３４２Ａに形成された図示せぬ電気回路と、発光チップ３４０とを電気的に接続している。
【００９５】
封止部材３５０は、一例として、ヤング率が１〔ＭＰａ〕の透明なシリコン樹脂を用いて成形されている。つまり、封止部材３５０には、支持部材３４２に用いられる樹脂材料と比して、ヤング率の小さい樹脂材料が用いられている。換言すれば、支持部材３４２には、封止部材３５０に用いられる樹脂材料と比して、ヤング率の大きい樹脂材料が用いられている。
【００９６】
そして、突出板３４２Ｂの先端が導光体１１０の端面１１０Ａに接触した状態で、封止部材３５０は、導光体１１０の端面１１０Ａと離間するようになっている。これにより、封止部材３５０と導光体１１０の端面１１０Ａとの間には、空隙３６４が形成されている。また、前述したように、夫々の突出板３４２Ｂの先端において端部側の部分は、導光体１１０と離間している。これにより、夫々の突出板３４２Ｂの先端において端部側の部分と導光体１１０との間には、空隙３６４と発光素子３２８の外部の空間とをつなぐ隙間３６６（図１８参照）が複数形成されている。そして、この隙間３６６は、端面１１０Ａの周方向において同様の間隔で配置されている。
【００９７】
（作用）
次に、発光装置３２４の作用を、第２比較形態に係る発光装置４２４と比較しつつ説明する。先ず、第２比較形態に係る発光装置４２４の構成について、発光装置３２４と異なる部分を主に説明する。なお、第２比較形態に係る発光装置４２４については、第２実施形態の発光装置３２４に対しては、比較形態であるが、第１実施形態の発光装置１２４には含まれる。
【００９８】
−発光装置４２４−
発光装置４２４は、図１９に示されるように、筐体１１４、導光体１１０、一対のＬＥＤ発光素子４２８（以下「発光素子４２８」）が実装されている可撓性基板１０６、及び押付部材１２０を含んで構成されている。
【００９９】
発光素子４２８は、複数の発光チップ３４０と、発光素子３２８を封止している封止部材３５０と、発光素子３２８及び封止部材３５０を支持している支持部材４４２と、複数のワイヤー３５４とを備えている。支持部材４４２は、導光体１１０の長手方向（装置奥行方向）から見て、矩形状とされ、一辺の長さが導光体１１０の直径と同様とされている。そして、支持部材４４２は、可撓性基板１０６と接触している矩形状の底板３４２Ａを備えている。なお、支持部材４４２は、導光体１１０の端面１１０Ａ側に突出している突出板を備えていない。
【０１００】
−発光装置３２４、４２４の作用−
次に、発光装置３２４、４２４の作用について説明する。
発光装置３２４、４２４の押付部材１２０は、  図１６、図１９に示されるように、張出片１３２Ａが弾性変形することで、可撓性基板１０６を介して一対の発光素子３２８、４２８を一対の導光体１１０の端面１１０Ａに夫々押し付ける。
【０１０１】
部品のバラツキ、温度変化による導光体１１０の伸縮等によって一対の導光体１１０の端面１１０Ａの装置奥行の位置が異なる場合がある。可撓性基板１０６は、前述したような可撓性を有するため、このような場合には、可撓性基板１０６が変形する（部位Ｅ参照）。これにより、押付部材１２０によって可撓性基板１０６を介して導光体１１０の端面１１０Ａに押し付けられた一対の発光素子３２８、４２８は、導光体１１０の端面１１０Ａに夫々接触する。
【０１０２】
ここで、第２比較形態に係る発光装置４２４の発光素子４２８の場合には、図１９に示されるように、押付部材１２０によって押し付けられた発光素子４２８の封止部材３５０が、導光体１１０の端面１１０Ａに接触する。そして、発光素子４２８の封止部材３５０が、導光体１１０の端面１１０Ａに押し付けられる。これにより、封止部材３５０が変形してワイヤー３５４が断線してしまい、発光チップ３４０の発光不良が発生してしまうことがある。
【０１０３】
これに対して、発光装置３２４の発光素子３２８の場合には、図１６、図１７に示されるように、押付部材１２０によって押し付けられた発光素子３２８の突出板３４２Ｂの先端が、導光体１１０の端面１１０Ａに接触する。そして、発光素子３２８の突出板３４２Ｂが、導光体１１０の端面１１０Ａに押し付けられる。これにより、封止部材３５０と導光体１１０の端面１１０Ａとの間には、空隙３６４が形成されている。
【０１０４】
（まとめ）
このため、発光装置３２４においては、第２比較形態の発光装置４２４を用いる場合と比して、封止部材３５０の変形が抑制される。また、封止部材３５０の変形が抑制されることで、発光装置４２４を用いる場合と比して、ワイヤー３５４が断線してしまうのが抑制される。また、ワイヤー３５４の断線が抑制されることで、発光装置４２４を用いる場合と比して、発光チップ３４０の発光不良が抑制される。
【０１０５】
さらに、発光装置３２４には、封止部材３５０と導光体１１０の端面１１０Ａとの間に形成された空隙３６４と発光素子３２８の外部の空間とをつなぐ隙間３６６（図１８参照）が形成されている。このため、発光チップ３４０が発光することで生じた熱が、空隙３６４から隙間３６６を通って、発光素子３２８の外部の空間に放出される。
【０１０６】
このため、発光チップ３４０が発光することで生じた熱を外部に放出する隙間３６６が形成されていない場合（空隙３６４が閉じられている場合）と比して、発光チップ３４０の温度上昇が抑制される。また、発光チップ３４０の温度上昇が抑制されることで、発光チップ３４０が発光することで生じた熱を外部に放出する隙間３６６が形成されていない場合と比して、発光チップ３４０が発光した光の光量の変化が抑制される。
【０１０７】
なお、本発明を特定の実施形態について詳細に説明したが、本発明は係る実施形態に限定されるものではなく、本発明の範囲内にて他の種々の実施形態をとることが可能であることは当業者にとって明らかである。例えば、上記実施形態では、導光体１１０が一対設けられたが、一個でもよく、三個以上であってもよい。
【０１０８】
一個の場合には、例えば、発光素子１２８が実装されている基板の一端が筐体に支持されている構成において、押付部材１２０を設け、かつ、可撓性基板１０６とすることで、発光素子１２８が実装されている基板が硬質の基板である場合と比して、導光体１１０の端面１１０Ａと発光素子１２８とが離間するのが抑制される。
【０１０９】
また、上記実施形態では、導光体１１０の長手方向の両側に、発光素子１２８が配置されたが、導光体１１０の一方側だけに発光素子１２８が配置されてもよい。
【０１１０】
また、上記実施形態では、押付部材１２０の天板１３０の下面１３０Ａによって、導光体１１０、及び発光素子１２８が位置決めされたが、天板１３０において、導光体１１０を位置決めする部分と、発光素子１２８を位置決めする部分とが別の部分であってもよい。
【０１１１】
また、上記実施形態では、画像読取装置１００は、筐体１１４の上面を覆うガラス板１２２を備えたが、例えば、筐体１１４と第一透明板６２（所謂プラテンガラス）との隙が狭い場合には、画像読取装置１００がガラス板１２２を備えなくてもよい。
【０１１２】
また、上記実施形態では、受光基板１０２と可撓性基板１０６を、配線基板１０４を介して接続する画像読取装置１００を示したが、可撓性基板１０６に配線基板１０４の機能を持たせ、受光基板１０２と可撓性基板１０６とを直接、接続する構成であっても良い。つまり、可撓性基板（フレキシブルプリント基板）１０６は、フレキシブルフラットケーブルが形成され、かつ、発光素子１２８が実装される。この場合は、配線基板１０４が不要になるため、部品点数を減少させることができる。
【０１１３】
また、上記第２実施形態では、突出部としての突出板３４２Ｂは、底板３４２Ａの各辺から導光体１１０の端面１１０Ａ側に夫々突出したが、例えば、突出部が、底板３４２Ａの中央側の部分から導光体１１０の端面１１０Ａ側に突出していてもよい。封止部材３５０と、導光体１１０の端面１１０Ａとの間に、空隙が形成されていればよい。
【０１１４】
また、上記第２実施形態では、発光チップ３４０が発光することで生じた熱を外部に放出する隙間３６６が形成されているが、隙間は、突出板を切り欠くことで形成されてもよく、また、隙間３６６が形成されていなくてもよい。隙間が形成されない場合には、隙間３６６が形成されることで奏する作用は奏しない。
【０１１５】
また、上記第１実施形態では、特に説明しなかったが、発光素子１２８には、発光チップをガラス等の板材で導光体１１０から保護した部材も含まれる。
【符号の説明】
【０１１６】
１０     画像形成装置
２０     画像形成部
１００   画像読取装置
１０６   可撓性基板
１１０   導光体
１１０Ａ 端面
１１２   ロッドレンズアレイ（案内部材の一例）
１１４   筐体
１２０   押付部材（押付部の一例）
１２４   発光装置
１２６   受光素子
１２８   発光素子
１３０Ａ 下面（位置決め部の一例、他の位置決め部の一例）
３２４   発光装置
３２８        発光素子
３４０         発光チップ（発光部の一例）
３４２        支持部材
３４２Ｂ 突出板（突出部の一例）
３５０        封止部材
３６４         空隙
３６６         隙間
【図１】
2018121323.tif 000003
【図２】
2018121323.tif 000004
【図３】
2018121323.tif 000005
【図４】
2018121323.tif 000006
【図５】
2018121323.tif 000007
【図６】
2018121323.tif 000008
【図７】
2018121323.tif 000009
【図８】
2018121323.tif 000010
【図９】
2018121323.tif 000011
【図１０】
2018121323.tif 000012
【図１１】
2018121323.tif 000013
【図１２】
2018121323.tif 000014
【図１３】
2018121323.tif 000015
【図１４】
2018121323.tif 000016
【図１５】
2018121323.tif 000017
【図１６】
2018121323.tif 000018
【図１７】
2018121323.tif 000019
【図１８】
2018121323.tif 000020
【図１９】
2018121323.tif 000021